(57)【要約】【課題】  ハトやサル等の鳥獣を傷つけることなく接近を抑止して被害を低減する。【解決手段】  鳥獣が忌避する絵又は模様が描かれた表示部３に焦点が合わないようにする透明のレンチキュラーレンズ２を重ねて取り付ける。表示部３は、ハトの天敵であるオオタカをイメージした絵と波状に変化するように配列した斑点模様を合成する。この鳥獣忌避装置１を例えば住宅のベランダ５に設置すると、ハトがベランダ５に向かって飛来し、距離３〜４ｍ以下に接近して鳥獣忌避装置１の表示部３を見た場合、焦点が合わずに遠近感がつかみにくくなり、ベランダ５や鳥獣忌避装置１に立ち止まることができなくなる。したがって、ベランダ５に近寄りにくくなり、ベランダ５に設置している空調機の室外機や洗濯物等に対する糞害が低減される。【選択図】  図１
2011155856.tif 000002
【特許請求の範囲】
【請求項１】
鳥獣の接近を抑止しようとする箇所に設置して鳥獣による被害を低減するための鳥獣忌避装置であって、鳥獣が忌避する絵又は模様が描かれた表示部の前面に焦点が合わないようにする透光体を重ねて設け、その透光体を透過した表示部の絵又は模様が鳥獣にとって焦点が合わないようにすることにより忌避させて鳥獣の接近を抑止できるようにしたことを特徴とする、鳥獣忌避装置。
【請求項２】
透光体がレンチキュラーレンズであって、その透光体と鳥獣との距離が３〜４ｍ以下で焦点が合わないように構成したもの、又は透光体と鳥獣との距離が１１ｍ以下で焦点が合わないように構成したものである、請求項１記載の鳥獣忌避装置。
【請求項３】
表示部をバネで風によって揺動可能に設置した、請求項１又は２記載の鳥獣忌避装置。
【請求項４】
表示部の絵又は模様が、黄色地に黒色の斑点をその大きさが波状に変化するように配列したものである、請求項１〜３いずれか記載の鳥獣忌避装置。
【発明の詳細な説明】
【技術分野】
【０００１】
本発明は、ハトやカラス、サルや鹿等の鳥獣による被害を低減する技術に関する。
【背景技術】
【０００２】
従来、住宅や駅等においてハト等による鳥害が問題となっており、対応に苦慮している。鳥害としては、糞による建物の汚損、羽毛の飛散、悪臭等があげられる。また、場所によってはサル等の獣による農作物の荒らしや民家への侵入の被害も起きている。対応策としては、音・光を発生する装置で威嚇する方法、目玉・カラスを模した器具を取り付けて威嚇する方法、薬品・粘着剤等を塗布して忌避させる方法、ネットを張設して進入を防止する方法などがある。
【０００３】
しかしながら、音・光を発生する装置や目玉・カラスを模した器具は時間の経過とともに鳥獣が慣れて効果に持続性がない。特に音・光を発生する装置は電源等を必要とし、大音量を発生するものは鳥獣だけでなく周辺や人に影響を及ぼすことがある。薬品・粘着剤はコストがかかり、鳥獣自身を傷めることがある。ネットは確実であるが、景観に劣るとともに設置場所が住宅のベランダの場合は布団の干し場所が確保できなくなる等の制限がある。
【０００４】
一方、レンチキュラーレンズを用いた広告表示具が特許文献１で開示されている。レンチキュラーレンズは、左右の目に別々の像を映し出して視差を生じさせる特性と見える範囲を限定させる特性を利用することで立体的又は視線角度の違いによって表示が変化するように見せることができるというものである。本発明は、このレンチキュラーレンズのように見る角度や距離によって表示が変化する技術を鳥獣の接近を抑止する用途に応用したものである。
【先行技術文献】
【特許文献】
【０００５】
【特許文献１】実用新案登録第３１０３９７２号公報
【発明の概要】
【発明が解決しようとする課題】
【０００６】
本発明が解決しようとする課題は、従来のこれらの問題点を解消し、ハトやサル等の鳥獣を傷つけることなく接近を抑止できる鳥獣忌避装置を提供することにある。
【課題を解決するための手段】
【０００７】
かかる課題を解決した本発明の構成は、
１）  鳥獣の接近を抑止しようとする箇所に設置して鳥獣による被害を低減するための鳥獣忌避装置であって、鳥獣が忌避する絵又は模様が描かれた表示部の前面に焦点が合わないようにする透光体を重ねて設け、その透光体を透過した表示部の絵又は模様が鳥獣にとって焦点が合わないようにすることにより忌避させて鳥獣の接近を抑止できるようにしたことを特徴とする、鳥獣忌避装置
２）  透光体がレンチキュラーレンズであって、その透光体と鳥獣との距離が３〜４ｍ以下で焦点が合わないように構成したもの、又は透光体と鳥獣との距離が１１ｍ以下で焦点が合わないように構成したものである、前記１）記載の鳥獣忌避装置
３）  表示部をバネで風によって揺動可能に設置した、前記１）又は２）記載の鳥獣忌避装置
４）  表示部の絵又は模様が、黄色地に黒色の斑点をその大きさが波状に変化するように配列したものである、前記１）〜３）いずれか記載の鳥獣忌避装置
にある。
【発明の効果】
【０００８】
本発明によれば、鳥獣の接近を抑止しようとする箇所に設置すると、鳥獣が透光体を透過して表示部を見た際に焦点が合わないことにより忌避し、接近が抑止されて糞害等の被害を低減できる。また、装置は音や光を発生しないから周辺や人に影響を及ぼすことがなく、電源等も不要である。また、装置は直接触れても鳥獣を傷つけることがなく、比較的安価なコストで製作できる。また、装置は小型で設置場所を選ばず、人の出入りを制限することもない。
【図面の簡単な説明】
【０００９】
【図１】実施例の鳥獣忌避装置の側面図である。
【図２】実施例の表示部の説明図である。
【図３】実施例の他の例の表示部の説明図である。
【図４】実施例の他の例の表示部の説明図である。
【図５】実施例の他の例の表示部の説明図である。
【図６】実施例の他の例の表示部の説明図である。
【図７】実施例の他の例の表示部の説明図である。
【図８】実施例の他の例の表示部の説明図である。
【図９】実施例の他の例の表示部の説明図である。
【発明を実施するための形態】
【００１０】
本発明の表示部の絵又は模様としては、忌避する鳥がハトの場合は天敵であるオオタカ等の絵又は写真が用い、忌避する獣がサルの場合は天敵であるイヌ等の絵又は写真が用いると効果が高い。その他、波状や渦巻状の模様などでもよく、前記の動物の絵又は写真と組み合わせてもよい。表示部は、パネル状物やシート状物の表面に絵又は模様を形成するのが一般的であるが、透光体の裏面に絵又は模様を直接形成することもできる。
【００１１】
透光体としてはレンチキュラーレンズが応用され、その透光体と鳥獣との距離が３〜４ｍ以下で焦点が合わないように構成されたもの、又は透光体と鳥獣との距離が１１ｍ以下で焦点が合わないように構成されたものが実用的で、設置場所に応じて選択する。本発明でいう「焦点が合わない」とは、絵又は模様を見た際にその絵又は模様や輪郭自体は認識できるが、絵又は模様との遠近感がつかみにくい状態になることをいう。絵又は模様がぼやけて不鮮明に見える状態とは異なる。
【００１２】
その他、表示部が風を受けて容易に動くようにバネを介して設置したり、若干撓むような弾性材料で支持して設置し、揺動により忌避効果を高めるようにしてもよい。また、鳥獣の接近を検知できるセンサーと表示部に描かれた動物の泣き声を再生できる再生装置を併設し、鳥獣の忌避効果をより高めてもよい。さらに、表示部の絵又は模様が動物である場合は、その目の部分を夜光塗料や蛍光塗料で表示したり発光装置で発光させ、鳥獣に威嚇しているように見せてもよい。
【実施例】
【００１３】
以下、本発明の実施例を図面に基づいて具体的に説明する。図１は実施例の鳥獣忌避装置の側面図、図２は実施例の表示部の説明図である。図中、１は鳥獣忌避装置、２はレンチキュラーレンズ（透光体）、２ａは小レンズ部、３は表示部、３ａは濃色部、３ｂは淡色部、４はバネ、５はベランダ、Ｈはハトである。
【００１４】
本実施例の鳥獣忌避装置１は、図１に示すように、鳥獣が忌避する絵及び模様が描かれたパネル状の表示部３の前面に焦点が合わないようにする透明のレンチキュラーレンズ２を重ねて取り付けている。表示部３の寸法は、高さが約４３ｃｍ、幅が約５７ｃｍで、楕円型に形成している。
【００１５】
レンチキュラーレンズ２は、断面かまぼこ状の多数の小レンズ部２ａを有し、その多数の小レンズ部２ａを透過した表示部３の絵及び模様が鳥獣との距離３〜４ｍ以下において焦点が合わないように構成されている。表示部３は、図２に示すように、ハトＨの天敵であるオオタカの顔をイメージした絵と、斑点をその大きさが波状に変化するように配列した模様を合成している。濃色部３ａの色は黒色、淡色部３ｂの色は黄色である。
【００１６】
この鳥獣忌避装置１を例えば住宅のベランダ５にバネ４を介して設置する。ハトＨがベランダ５に向かって飛来し、距離３〜４ｍ以下に接近して表示部３の絵及び模様を見た場合、焦点が合わずに遠近感がつかみにくくなり、鳥獣忌避装置１やベランダ５に立ち止まることができなくなる。したがって、ハトＨはベランダ５に近寄りにくくなり、ベランダ５に設置している空調機の室外機や洗濯物等に対する糞害が低減される。また、風がある場合は表示部３がバネ４で揺動し、忌避効果がより高まる。このように、鳥獣忌避装置１を設置しているだけでハトＨを傷つけることなく接近を抑止できる。
【００１７】
図３〜９に示すのは、実施例の表示部の他の例である。図３〜９は実施例の他の例の表示部の説明図である。図３に示す表示部３は、斑点をその大きさが中心方向に向かって連続的に変化するように配列し、全体が目玉のような模様を形成している。濃色部３ａの色は黒色、淡色部３ｂの色は黄色である。図４に示す表示部３は、不規則な模様の中央部にぼかした格子状の模様を合成している。濃色部３ａの色は黒色、淡色部３ｂの色は白色である。図５に示す表示部３は、ぼかした格子状の模様である。濃色部３ａの色は黒色、淡色部３ｂの色は白色である。図６に示す表示部３は、放射状の模様と渦巻状の模様を合成している。濃色部３ａの色は赤色及び青色の組み合わせ、淡色部３ｂの色は黄色である。図７に示す表示部３は、斑点をその大きさが波状に変化するように配列して模様を形成し、全体を鳥のような形状に加工している。濃色部３ａの色は黒色、淡色部３ｂの色は黄色である。図８に示す表示部３は、放射状の模様である。濃色部３ａの色は赤色、淡色部３ｂの色は白色である。図９に示す表示部３は、色の異なる放射状の模様を回転方向が逆向きとなるように重ね合わせている。濃色部３ａの色は赤色、淡色部３ｂの色は白色である。いずれも、符号、構成、作用効果は実施例と同じである。
【産業上の利用可能性】
【００１８】
本発明の鳥獣忌避装置は、住宅・駅・バス停・公園等に設置して利用される。
【符号の説明】
【００１９】
１  鳥獣忌避装置
２  レンチキュラーレンズ（透光体）
２ａ  小レンズ部
３  表示部
３ａ  濃色部
３ｂ  淡色部
４  バネ
５  ベランダ
Ｈ  ハト
【図１】
2011155856.tif 000003
【図２】
2011155856.tif 000004
【図３】
2011155856.tif 000005
【図４】
2011155856.tif 000006
【図５】
2011155856.tif 000007
【図６】
2011155856.tif 000008
【図７】
2011155856.tif 000009
【図８】
2011155856.tif 000010
【図９】
2011155856.tif 000011